(57)【要約】【課題】ディスクイジェクト時に、シフトプレートが付勢部材の力で勢いよく移動することを抑制し、ディスク叩き音の発生を防止可能なディスクイジェクト時のブレーキ機構を提供する。【解決手段】ディスクを圧着、解放するクランパーを備えたクランプアーム８、ディスクを搬送するローディングローラ２、移動によりディスクに対するクランプアーム８及びローディングローラ２の位置を制御するシフトプレート９、回転するギヤ５を有するモータ、ギヤ５に係合するラック１７ａを有し、移動によりモータの駆動力をシフトプレート９へ伝達するラックプレート１７、シフトプレート９を、クランパーからディスクを解放する方向へ付勢するシフトスプリング２１、シフトプレート９に設けられ、クランパーからのディスク解放時に、ラック１７ａとともにギヤ５に係合するラック部１２を有する。【選択図】　図１
2004127388.tif 000002
【特許請求の範囲】
【請求項１】
ディスクを圧着する圧着位置と前記ディスクを解放する解放位置との間を移動可能に設けられたクランプ機構と、
前記クランプ機構に対してディスクを搬送する搬送機構と、
スライド移動により、ディスクに対する前記クランプ機構及び前記搬送機構の位置を制御するシフトプレートと、
回転するギヤを有する駆動源と、
前記ギヤに係合するラックを有し、スライド移動により、前記駆動源の駆動力を前記シフトプレートへ伝達するラックプレートと、
前記シフトプレートを、前記クランプ機構からディスクを解放させるディスクイジェクト方向へ付勢する付勢手段と、
前記シフトプレートに設けられ、少なくとも前記クランプ機構からのディスクの解放時に、前記ラックプレートのラックとともに前記ギヤに係合するラック部と、
を有することを特徴とするディスクイジェクト時のブレーキ機構。
【請求項２】
フローティング状態にあるディスク再生部をロックするフローティングロック位置と、前記ディスク再生部を解放するフローティング位置とを移動可能に設けられたドライブロックプレートが設けられ、
前記シフトプレートのディスクイジェクト方向への移動とともに、前記ドライブロックプレートがフローティングロック位置へ移動するように、前記シフトプレートと前記ドライブロックプレートとが連結され、
前記ドライブロックプレートのフローティングロック位置への移動とともに、前記付勢手段が前記シフトプレートをディスクイジェクト方向に付勢するように、前記ドライブロックプレートと前記シフトプレートとの間に前記付勢手段が設けられていることを特徴とする請求項１記載のディスクイジェクト時のブレーキ機構。
【発明の詳細な説明】
【０００１】
【発明の属する技術分野】
本発明は、ディスク再生部に対してディスクを圧着して再生可能な状態とするクランプ機構から、ディスクを解放し排出する際に機能するディスクイジェクト時のブレーキ機構に関する。
【０００２】
【従来の技術】
一般に、ＣＤやＤＶＤ等の円盤状記録媒体（以下、ディスクと呼ぶ）の再生を行うディスクプレーヤは、ケースの内部にターンテーブルや光学ピックアップを備えたディスク再生部と、ローディングローラ等によってディスクプレーヤ内へのディスクの搬入搬出を行う搬送機構と、クランパーによってターンテーブル上にディスクを装着するクランプ機構等を備えている。
【０００３】
このようなディスクプレーヤにおいては、ディスクの搬入時には、ローディングローラをディスクに圧着させて、ターンテーブル上まで搬送した後、ローディングローラをディスクから解放するという動作が、搬送機構に要求される。そして、クランプ機構には、ディスクをターンテーブル上に圧着させるという動作が要求される。
【０００４】
一方、ディスクの排出時（イジェクト時）には、クランプ機構に対しては、ディスクをターンテーブル上から解放するという動作が要求される。そして、搬送機構に対しては、ローディングローラをディスクに圧着させて、ターンテーブル上からディスク排出位置まで搬送するという動作が要求される。
【０００５】
このようなクランプ機構と搬送機構に要求される動作を実現するための部材として、従来から、シフトプレートを用いた技術が提案されている（例えば、特許文献１、特許文献２参照）。このシフトプレートは、搬送機構とクランプ機構との間をスライド移動可能に設けられ、両端に設けられたカムの働きにより、ディスクに対するローディングローラ及びクランパーの圧着、解放の同期をとる部材である。例えば、ディスク搬入時には、ディスクを搬入してきたローディングローラをディスクから解放させるとともに、クランパーをディスク圧着方向へ移動させる。また、ディスクイジェクト時には、クランパーをディスク解放方向へ移動させるとともに、ローディングローラをディスクに圧着させる。
【０００６】
このようなシフトプレートは、モータによって駆動されるが、このモータの駆動力は、ラックプレートを介してシフトプレートに伝達される。このラックプレートは、モータによって回動するギアが係合するラックが設けられ、シフトプレートと同様にスライド移動可能に設けられている。そして、ラックプレートとシフトプレートとは、同方向にスライド移動可能となるように締結されている。さらに、シフトプレートは、モータの駆動力が働いていないときには、クランパーがディスクを解放し、ローディングローラがディスクに圧着する状態となる方向（以下、ディスクイジェクト方向とする）に来るように、シフトスプリングによって付勢されている。
【０００７】
また、車載用のディスク再生装置においては、ディスク再生部に加わる振動を抑制するため、ディスク再生部を弾性部材のみによって支持するフローティング状態としている。かかるディスク再生部は、ディスクイジェクト時には、ディスクが正確にローディングローラに圧着して排出口へ搬送されるように、フローティング状態をロックする必要がある。そこで、上述のようなシフトプレートは、ディスク再生部をロックするためのドライブロックプレートに連結されており、シフトプレートがディスクイジェクト方向に移動すると、カムの働きによって、ドライブロックプレートがディスク再生部をロックする位置に移動するように構成されている。
【０００８】
このようなフローティングロック機構では、シフトスプリングがシフトプレートとドライブロックプレートとの間に設けられ、その付勢力が、ドライブロックプレートのフローティングロック位置への移動を契機として、シフトプレートに加わる構成となっている。
【０００９】
【特許文献１】
特開平６−４４６６０号公報（第５−７頁、図１３−１７図）
【特許文献２】
特開平１１−１３４７５９号公報（第３−１２頁、図１−７図）
【００１０】
【発明が解決しようとする課題】
ところで、上述のような従来の技術においては、ディスクイジェクト動作開始時には、ラックプレートのラックがギヤに係合することにより、モータの駆動力がラックプレートを介して伝達されて、シフトプレートが動作している。しかし、シフトプレートの移動が進んで、ドライブロックプレートがフローティングロック位置へ移動すると、これを契機として、シフトプレートにシフトスプリングの付勢力が加わるので、シフトプレートはディスクイジェクト方向に勢いよく引っ張られることになる。このため、シフトプレートとともにディスク圧着方向に移動するローディングローラが勢いよく移動してディスクを叩くことにより、ディスク叩き音が発生する可能性がある。
【００１１】
本発明は、上記のような従来技術の問題点を解決するために提案されたものであり、その目的は、ディスクイジェクト時に、シフトプレートが付勢部材の力で勢いよく移動することを抑制し、ディスク叩き音の発生を防止できるディスクイジェクト時のブレーキ機構を提供することにある。
【００１２】
【課題を解決するための手段】
上記の目的を達成するため、請求項１記載の発明は、ディスクを圧着する圧着位置と前記ディスクを解放する解放位置との間を移動可能に設けられたクランプ機構と、前記クランプ機構に対してディスクを搬送する搬送機構と、スライド移動により、ディスクに対する前記クランプ機構及び前記搬送機構の位置を制御するシフトプレートと、回転するギヤを有する駆動源と、前記ギヤに係合するラックを有し、スライド移動により、前記駆動源の駆動力を前記シフトプレートへ伝達するラックプレートと、前記シフトプレートを、前記クランプ機構からディスクを解放させるディスクイジェクト方向へ付勢する付勢手段と、前記シフトプレートに設けられ、少なくとも前記クランプ機構からのディスクの解放時に、前記ラックプレートのラックとともに前記ギヤに係合するラック部とを有することを特徴とする。
【００１３】
以上のような請求項１記載の発明では、ディスクイジェクト時には、ラックプレートのラックのみならず、シフトプレートのラック部も駆動源のギヤに係合しているので、付勢手段の付勢力が働いても、シフトプレートが勢いよく移動することが抑制され、搬送機構の移動によるディスク叩き音等の発生を防止することができる。
【００１４】
請求項２記載の発明は、フローティング状態にあるディスク再生部をロックするフローティングロック位置と、前記ディスク再生部を解放するフローティング位置とを移動可能に設けられたドライブロックプレートが設けられ、前記シフトプレートのディスクイジェクト方向への移動とともに、前記ドライブロックプレートがフローティングロック位置へ移動するように、前記シフトプレートと前記ドライブロックプレートとが連結され、前記ドライブロックプレートのフローティングロック位置への移動とともに、前記付勢手段が前記シフトプレートをディスクイジェクト方向に付勢するように、前記ドライブロックプレートと前記シフトプレートとの間に前記付勢手段が設けられていることを特徴とする。
以上のような請求項２記載の発明では、ドライブロックプレートのフローティングロック位置への移動を契機として、付勢手段の付勢力がシフトプレートに加わっても、シフトプレートのラック部にはギヤが係合しているので、シフトプレートの急激な移動が防止される。
【００１５】
【発明の実施の形態】
本発明の実施の形態（以下、実施形態と呼ぶ）を、図１〜９を参照して以下に説明する。なお、以下の説明において、「チャッキング方向」とは、ディスクがチャッキングされる際のシフトプレート９の移動方向（図１における左方向）を示すが、チャッキングされるディスク自体の移動方向（図１における右方向）とは逆である。また、「イジェクト方向」とは、ディスクがイジェクトされる際のシフトプレート９の移動方向（図１における右方向）であるが、イジェクトされるディスク自体の移動方向（図１における左方向）とは逆である。
【００１６】
［実施形態の構成］
［ディスク再生部］
ディスクを再生するためのディスク再生部１は、図７〜９にその輪郭のみ示すが、ディスク再生装置のシャーシ（図示せず）内に設けられたプレート上に、ディスク再生用の部材を配設したものである。このディスク再生用の部材は、図示はしないが、ディスクが載置されて後述するクランパー７に圧着保持されながらスピンドルモータによって回転するターンテーブル、ディスクの情報を読み取る光学ピックアップ、光学ピックアップをディスクの径方向に移動させるピックアップ送り機構等がある。そして、このディスク再生部１は、シャーシとの間に設けられたダンパ等の弾性部材によってフローティング支持されている。
［搬送機構］
次に、図１に示すように、シャーシにおけるディスク挿入口側（図中左側）に設けられた搬送機構は、ローディングローラ２、アッパーガイド３及びロワーガイド４を備えている。ローディングローラ２は、モータで作動する駆動機構（図示せず）によって回動可能に設けられている。アッパーガイド３は、ローディングローラ２との間でディスクを挟持して、その移動をガイドする部材である。ロワーガイド４は、ローディングローラ２を軸支するように、アッパーガイド３の下部に配設されている。
【００１７】
そして、ロワーガイド４は、ローディングローラ２がディスクに圧着してアッパーガイド３との間でディスクを搬送するディスクローディング位置（図１における上方）と、退避してディスクを解放する解放位置（図１における下方）との間を移動するように、シャーシに対して、軸４ａを中心に回動可能に設けられている。また、ロワーガイド４は、図示しないスプリング等の弾性部材によって、ローディングローラ２がディスクに圧着する方向（図１における上方）に付勢されている。さらに、ロワーガイド４には、後述するシフトプレート９のカム孔１１に係合するカムピン４ｂが設けられている。
【００１８】
［クランプ機構］
ターンテーブル上にディスクを圧着するクランプ機構は、ターンテーブルに対峙するリング状のクランパー（図示せず）と、このクランパーが取り付けられたクランプアーム８によって構成されている。クランプアーム８は、シャーシにおけるディスク挿入側と反対側に設けられた軸部８ａを中心に、回動可能に設けられ、クランパーを上下に移動させる機能を有している。そして、クランプアーム８は、図示しないスプリング等の弾性部材によって、クランパーがディスクに圧着する方向（図１における下方）に付勢されている。さらに、クランプアーム８には、後述するシフトプレート９のカム１０に当接するカムピン８ｂが設けられている。
【００１９】
［リンク機構］
上記のような搬送機構とクランプ機構とをリンクするリンク機構は、シフトプレート９及びラックプレート１７を備えている。シフトプレート９は、シャーシにおけるロワーガイド４とクランプアーム８との間に、図中左右方向にスライド移動可能に設けられている。このシフトプレート９は、図５及び図７に示すように、互いに平行な垂直面部９ａ，９ｂと、これを連結している水平面部９ｃを備えている。垂直面部９ａの右上端には、クランプアーム８のカムピン８ｂに当接するカム１０が形成されている。このカム１０は、カムピン８ｂを弾性部材の付勢力に抗して上方に付勢することによって、クランプアーム８を上方に回動させてクランパーをターンテーブルから解放する解放部１０ａと、クランパーを、ターンテーブルとの間でディスクを挟持するが、圧着しない状態で一時的に停止させる停止部１０ｂとを有している。
【００２０】
また、シフトプレート９の垂直面部９ｂの左端近傍には、ロワーガイド４のカムピン４ｂが係止するカム孔１１が設けられている。このカム孔１１は、スプリングによってカムピン４ｂを上方に付勢して、ローディングローラ２をアッパーガイド３側（ディスクに圧着する側）に移動させる圧着部１１ａと、カムピン４ｂをスプリングの付勢力に抗して下方に付勢し、ローディングローラ２をアッパーガイド３から退避（ディスクを解放）させる退避部１１ｂとを有している。
【００２１】
そして、垂直面部９ｂの上縁の中央近傍には、後述するギヤ５が係合するラック部１２が形成されている。また、垂直面部９ｂの中央近傍には、後述するラックプレート１７との締結用の孔１３が設けられ、垂直面部９ｂの右肩部には、後述するスプリング１４の一端が締結されるフック１５が設けられている。さらに、図７に示すように、シフトプレート９の水平面部９ｃには、後述するドライブロックプレート１８の切換制御を行なうために、略直線状のガイド孔１６ｂと、略Ｌ字状のカム孔１６ａが設けられている。
【００２２】
一方、上記のようなシフトプレート９を駆動するために、シャーシには、モータ（図示せず）及びラックプレート１７が設けられている。モータは駆動源であり、そのスピンドルシャフトにはギヤ５（ピニオン）が取り付けられている。ラックプレート１７には、ギヤ５に係合するラック１７ａが設けられ、モータの作動により回転するギヤ５によって、シフトプレート９と同様にスライド移動可能に設けられている。このラックプレート１７には、その移動に従って、シフトプレート９の孔１３を付勢する凸部１７ｂが設けられている。さらに、ラックプレート１７には、スプリング１４の他端が取り付けられるフック１７ｃが設けられている。フック１５、フック１７ｃとの間に取り付けられるスプリング１４は、孔１３と凸部１７ｂとの当接を維持するための引っ張りコイルばねである。
【００２３】
なお、ギヤ５の回動によるラックプレート１７及びシフトプレート９のスライド移動や、ローディングローラ２の回動等は、ディスク再生装置の操作用スイッチや各部に配置されたセンサにて検出された情報に基づいて、駆動源となるモータを制御装置により制御することによって行なわれる。
【００２４】
［フローティングロック機構］
上記のディスク再生部１のフローティングをロックするためのドライブロックプレート１８は、図７に示すように、ロック用の当接面１８ａを備えている。このドライブロックプレート１８は、シフトプレート９の水平面部９ｃのガイド孔１６ｂに挿通された支点１８ｂによって、シャーシに対して水平方向に回動可能に支持されており、図７に示すように、当接面１８ａがディスク再生部１を解放するフローティング位置と、図９に示すように、当接面１８ａがディスク再生部１に当接するフローティングロック位置との間で移動するように構成されている。
【００２５】
また、ドライブロックプレート１８には、ピン１８ｃが取り付けられており、シフトプレート９の水平面部９ｃのカム孔１６ａ内に挿入されている。さらに、シフトプレート９の水平面部９ｃに設けられた立上部１９と、ドライブロックプレート１８に設けられた係止部１８ｄとの間には、引っ張りコイルばねであるシフトスプリング２１が取り付けられている。
【００２６】
［実施形態の作用］
［チャッキング状態］
以上のような本実施形態の作用を以下に説明する。まず、ディスクがターンテーブル上にチャッキングされているチャッキング状態では、図１に示すように、カムピン８ｂが、カム１０の停止部１０ｂから外れており、クランプアーム８が下降しているので、クランプアーム８におけるクランパーが、ディスクをターンテーブルの正規の位置に圧着している。また、ロワーガイド４のカムピン４ｂは、退避部１１ｂにあるので、ローディングローラ２がディスクから離れている。このとき、ラックプレート１７のラック１７ａは、スプリング１４によってギヤ５に係合するように付勢されているが、シフトプレート９のラック部１２は、ギヤ５とは離れた状態にある。また、図７に示すように、ドライブロックプレート１８は、そのピン１８ｃが略Ｌ字状のカム孔１６ａの端部（図中右下端）にあり、図中時計方向に回動しているので、当接面１８ａがディスク再生部１を解放しているフローティング状態にある。
【００２７】
このとき、ラッチの原理と、ドライブロックプレート１８の回動中心でありシャーシに取り付けられた支点１８ｂの位置から、カム孔１６ａの端部に係合しているピン１８ｃまでの位置と、シフトスプリング２１が取り付けられている位置との関係から、シフトプレート９は図中左方向（チャッキング方向）に付勢されている。つまり、時計方向へ回動しているドライブロックプレート１８のピン１８ｃによって、シフトプレート９はチャッキング方向に付勢されている。
【００２８】
［イジェクト動作開始］
この状態で、図２に示すように、モータを作動してギヤ５を回動させると、ギヤ５にラック１７ａが係合しているので、ラックプレート１７が、図中右方向（イジェクト方向）に動き出す。そして、ラックプレート１７の凸部１７ｂが、シフトプレート９の孔１３の端部に当たって付勢すると、シフトプレート９も同方向に動き出す。このとき、ラックプレート１７のラック１７ａとシフトプレート９のラック部１２は重なり合っている。
【００２９】
［シフトスプリングの付勢方向の反転］
このように、シフトプレート９が移動すると、図８に示すように、ドライブロックプレート１８は、そのピン１８ｃが、略Ｌ字状のカム孔１６ａに沿って移動するので、図中反時計方向に回動する。そして、図９に示すように、ピン１８ｃがカム孔１６ａの直線部分に入ると、ドライブロックプレート１８は、シフトスプリング２１の付勢力によって、その当接面１８ａがディスク再生部１に当接してロックするフローティングロック位置に来る。同時に、シフトプレート９は、ピン１８ｃがカム孔１６ａの端部による係止状態から解放されるので、シフトスプリング２１の付勢力によって、図中右方向（イジェクト方向）へ付勢される。
【００３０】
［イジェクトブレーキ作用］
シフトスプリング２１の付勢力が反転することにより、シフトスプリング２１は、シフトプレート９をイジェクト方向へ引っ張ろうとするが、このとき、図３に示すように、ラックプレート１７のラック１７ａに重なり合ったシフトプレート９のラック部１２がギヤ５に係合するので、シフトプレート９は、その急激な移動が抑制され、一定の速さを維持して移動する。
【００３１】
また、シフトプレート９が移動すると、カムピン４ｂが、カム孔１１の退避部１１ｂから圧着部１１ａへの移動を開始して、ロワーガイド４が回動するが、この回動も急激なものとならず、一定の速さを維持して回動する。従って、ローディングローラ２がディスクを叩くことがない。同時に、カム１０の停止部１０ｂがカムピン８ｂに当接することにより、弾性部材の付勢力に抗して上方に付勢するのて、クランプアーム８はディスクから離れる位置に移動して、上昇を一時的に停止する。
【００３２】
［イジェクト完了状態］
さらに、図４に示すように、シフトプレート９が図中右方向（イジェクト方向）に移動すると、カム１０の解放部１０ａがカムピン８ｂを弾性部材の付勢力に抗してさらに上方に付勢するので、クランパー７はターンテーブルから完全に乖離し、ディスクイジェクト用の隙間ができる。また、カムピン４ｂは、カム孔１１における圧着部１１ａに来るので、弾性部材の付勢力によってロワーガイド４はさらに上方に回動して、ローディングローラ２がアッパーガイド３側にディスクを圧着するディスクローディング位置に来る。この状態から、ローディングローラ２が回動を開始すると、図示しないディスク挿入口からディスクが排出される。
【００３３】
そして、シフトスプリング２１の付勢力によって、シフトプレート９のラック部１２とギヤ５が、離れた状態でイジェクト動作を完了する。なお、ディスクをターンテーブルに装着する際には、上述とは逆の動作（図４〜図１）を行うことになるが、この途中においても、上述のように、シフトプレート９の急激な移動は防止される。
【００３４】
［実施形態の効果］
以上のような本実施形態によれば、シフトプレート９に、ギヤ５に係合するラック部１２を設けることによって、シフトプレート９の急激な移動でローディングローラ２がディスクを圧着するときの勢いを抑制することができる。従って、ディスクイジェクト時のディスクたたき音が防止される。
【００３５】
特に、シフトプレート９の移動と、ドライブロックプレート１８によるフローティングロックとを連動させて、シフトスプリング２１の付勢力を反転させる構造を採った場合には、反転時に、シフトプレート９にイジェクト方向への引っ張り力が発生するが、かかる場合であっても、ギヤ５に係合したラック部１２によって、シフトプレート９の急激な移動が抑制される。
【００３６】
［他の実施形態］
本発明は、上記の実施形態に限定されるものではなく、各部材の構造、材質、大きさ、形状、数量等は適宜変更可能である。例えば、ディスクを搬送する搬送機構、ディスクをターンテーブル上に圧着するクランプ機構は、シフトプレート９によるリンクが可能であるならば、周知のあらゆる機構を適用することができる。
【００３７】
また、シフトプレート９やラックプレート１７等に形成するカムや孔の形状も、上記の実施の形態で示したものには限定されない。また、シフトプレート９、ラックプレート１７、ドライブロックプレート１８に付勢力を与える部材、ローディングローラ２及びクランプアーム８にディスクに対する圧着力を与える部材としては、種々の弾性部材、付勢部材を用いることができる。さらに、本発明が適用されるディスクプレーヤは、再生専用のものであっても、記録再生用のものであってもよく、ディスク状の記録媒体のための装置であれば、どのような種類や大きさの記録媒体を対象とする装置であってもよい。
【００３８】
【発明の効果】
以上説明したように、本発明によれば、ディスクイジェクト時に、シフトプレートが付勢部材の力で勢いよく移動することを抑制し、ディスク叩き音の発生を防止可能なディスクイジェクト時のブレーキ機構を提供することができる。
【図面の簡単な説明】
【図１】本発明の一つの実施形態におけるディスク再生時を示す一部透視側面図である。
【図２】図１の実施形態におけるディスク解放途中を示す一部透視側面図である。
【図３】図１の実施形態におけるディスク解放途中を示す一部透視側面図である。
【図４】図１の実施形態におけるディスイジェクト状態を示す一部透視側面図である。
【図５】図１の実施形態におけるシフトプレートを示す側面図である。
【図６】図１の実施形態におけるラックプレートを示す側面図である。
【図７】図１の実施形態におけるフローティングロック機構のフローティング状態を示す平面図である。
【図８】図１の実施形態におけるフローティングロック機構のフローティングロック移行状態を示す平面図である。
【図９】図１の実施形態におけるフローティングロック機構のフローティングロック状態を示す平面図である。
【符号の説明】
１…ディスク再生部
２…ローディングローラ
３…アッパーガイド
４…ロワーガイド
４ａ…軸
４ｂ…カムピン
５…ギヤ
８…クランプアーム
８ａ…軸部
８ｂ…カムピン
９…シフトプレート
９ａ，９ｂ…垂直面部
９ｃ…水平面部
１０…カム
１０ａ…解放部
１０ｂ…停止部
１１…カム孔
１１ａ…圧着部
１１ｂ…退避部
１２…ラック部
１３…孔
１４…スプリング
１５，１７ｃ…フック
１６ａ…カム孔
１６ｂ…ガイド孔
１７…シフトプレート
１７…ラックプレート
１７ａ…ラック
１７ｂ…凸部
１８…ドライブロックプレート
１８ａ…当接面
１８ｂ…支点
１８ｃ…ピン
１８ｄ…係止部
１９…立上部
２１…シフトスプリング
【図１】
2004127388.tif 000003
【図２】
2004127388.tif 000004
【図３】
2004127388.tif 000005
【図４】
2004127388.tif 000006
【図５】
2004127388.tif 000007
【図６】
2004127388.tif 000008
【図７】
2004127388.tif 000009
【図８】
2004127388.tif 000010
【図９】
2004127388.tif 000011